(57)【要約】【課題】  従来と比して密着力を有する上顎用の入れ歯を提供する。【解決手段】  上顎１２に装着される入れ歯１において、人工歯２と、複数の人工歯２が設けられ、口腔内の歯肉部１１に密着するＵ字条に形成された人工歯肉部３と、人工歯肉部３の内縁に連接され、上顎１２と密着する薄肉の上顎密着部４とを備える。そして、人工歯肉部３には、人工歯肉部３の周縁部３ａに立設され、人工歯肉部３と歯肉部１１とを密着させる弾力性を有する人工歯肉立壁部５が設けられている。【選択図】  図１
2006334093.tif 000002
【特許請求の範囲】
【請求項１】
上顎に装着される入れ歯において、
人工歯と、
複数の上記人工歯が設けられ、口腔内の歯肉部に密着するＵ字条に形成された人工歯肉部と、
上記人工歯肉部の内縁に連接され、上記上顎と密着する薄肉の上顎密着部とを備え、
上記人工歯肉部には、上記人工歯肉部の周縁部に立設され、上記人工歯肉部と上記歯肉部とを密着させる弾力性を有する人工歯肉立壁部が設けられていること
を特徴とする上顎用の入れ歯。
【請求項２】
上記上顎密着部には、上記上顎と対向する面に立設され、上記上顎に上記上顎密着部を吸着させる弾力性を有する上顎立壁部が設けられていること
を特徴とする請求項１記載の上顎用の入れ歯。
【請求項３】
下顎に装着される入れ歯において、
人工歯と、
複数の上記人工歯が設けられ、口腔内の歯肉部に密着するＵ字条に形成された人工歯肉部とを備え、
上記人工歯肉部には、上記人工歯肉部の周縁部に立設され、上記人工歯肉部と上記歯肉部とを密着させる弾力性を有する人工歯肉立壁部が設けられていること
を特徴とする下顎用の入れ歯。
【発明の詳細な説明】
【技術分野】
【０００１】
本発明は、上顎部又は下顎部に着脱自在に装着する入れ歯に関する。
【背景技術】
【０００２】
入れ歯は、総入れ歯と部分入れ歯に大別され、口腔内の自然歯が抜け落ちたりした場合に、その自然歯の代わりに装着する義歯のことをいう。総入れ歯は、口腔内の例えば上顎全ての歯が抜け落ちた場合に装着するものであり、部分入れ歯は、一部の歯が抜けた場合に装着されるものである。
【０００３】
口腔内の上顎部に装着する総入れ歯としては、図６（Ａ）に示すように、セラミック等からなる人工歯１０１と、人工歯１０１が取り付けられるアクリル樹脂等からなる人工歯肉１０２と、人工歯肉１０２と連続して形成され口腔内の上顎部に装着される上顎装着部１０３とから構成されている上顎用入れ歯１００がある。
【０００４】
この人工歯肉１０２は、人工歯１０１が設けられた面とは反対側の面が、Ｕ字条で盛り上がった歯肉（歯茎）を覆うようにして装着できるような断面Ｕ字状の溝１０２ａが形成されている。上顎装着部１０３は、口腔内の上顎と密着される部位である。
【０００５】
上顎用入れ歯１００は、人工歯１０１が設けられた面とは反対側の面において、人工歯肉１０２が無歯状態でＵ字条に盛り上がっている歯肉（歯茎）を溝１０２ａで覆い密着され、上顎装着部１０３が上顎と密着されることにより口腔内の上顎部に固定されている。
【０００６】
また、口腔内の下顎部に装着する総入れ歯としては、図６（Ｂ）に示すように、人工歯１０１と、Ｕ字条の人工歯肉１０２とから構成されている下顎用入れ歯１１０がある。この下顎用入れ歯１１０は、上顎用入れ歯１００の人工歯１０１と人工歯肉１０２と同様の構成を有しており、上述の上顎用入れ歯１００との相違点は、人工歯肉１０２の内縁と連続して形成される上顎装着部１０３がないことである。これは、下顎には舌があり、人工歯肉１０２の内縁を覆い、その部位を下顎に装着させると、舌の動きに制約がかかる等の理由による。
【０００７】
ところで、上述のような上顎用入れ歯１００は、人工歯肉１０２や上顎装着部１０３の上顎や歯肉（歯茎）への密着力により上顎へ装着されるものであり、安定性に欠けるものである。そのため、上顎用入れ歯１００は、上顎と下顎の噛み合わせ、発生等の口腔内の動きにより、ガタついたり、場合によっては上顎用入れ歯１００が上顎から外れてしまうという事態まで引き起こしていた。さらに、上顎用入れ歯１００は、このガタつきにより、例えば上顎と上顎装着部１０３との間に隙間が生じ、その隙間に食べ物などの異物が入りこむという事態も生じていた。
【０００８】
そこで、従来は、上顎用入れ歯１００の人工歯１０１が設けられた面とは反対側の面の人工歯肉１０２や上顎装着部１０３に、粘着剤を塗布し、上顎への密着力を増す方法がとられていた。
【０００９】
しかしながら、上述の粘着剤を塗布する方法は、別途粘着剤を購入する必要がある上、この粘着剤の粘着力が低下した際に新しい粘着剤を塗布しなおさなければならない等の使用者にとって、煩雑な作業が伴っていた。
【００１０】
また、下顎用入れ歯１１０においても、上顎用入れ歯１００と同様のガタつき等が発生し問題となっていた。
【００１１】
【特許文献１】特開２００２−３６０６０８号公報
【発明の開示】
【発明が解決しようとする課題】
【００１２】
そこで、本発明は、定期的に粘着剤等を塗布する煩雑な作業を必要とせず、従来のものと比して上顎または下顎への密着力が向上された入れ歯を提供することを目的とする。
【課題を解決するための手段】
【００１３】
本発明に係る入れ歯は、上顎に装着される入れ歯において、人工歯と、複数の上記人工歯が設けられ、口腔内の歯肉部に密着するＵ字条に形成された人工歯肉部と、上記人工歯肉部の内縁に連接され、上記上顎と密着する薄肉の上顎密着部とを備える。そして、上記人工歯肉部には、上記人工歯肉部の周縁部に立設され、上記人工歯肉部と上記歯肉部とを密着させる弾力性を有する人工歯肉立壁部が設けられていることを特徴とする。
【００１４】
さらに、上記上顎密着部には、上記上顎と対向する面に立設され、上記上顎に上記上顎密着部を吸着させる弾力性を有する上顎立壁部が設けられるようにしてもよい。
【００１５】
また、本発明に係る入れ歯は、下顎に装着される入れ歯においては、人工歯と、複数の上記人工歯が設けられ、口腔内の歯肉部に密着するＵ字条に形成された人工歯肉部とを備え、上記人工歯肉部には、上記人工歯肉部の周縁部に立設され、上記人工歯肉部と上記歯肉部とを密着させる弾力性を有する人工歯肉立壁部が設けられていることを特徴とする。
【発明の効果】
【００１６】
本発明に係る入れ歯は、人工歯肉部の周縁部に亘って人工歯肉立壁部が設けられており、装着時にこの人工歯肉立壁部が、歯肉部と人工歯肉部との隙間をなくし、人工歯肉部と歯肉部とを密着させる。また、この人工歯肉立壁部は、歯肉部と人工歯肉部との隙間をなくすので、入れ歯と上顎との間に食べ物などの異物の混入することを防ぐことができるとともに、人工歯肉部が吸盤のような効果を奏し、人工歯肉部を歯肉部に吸着させ、装着安定性を向上させ、装着感を向上させることができる。
【発明を実施するための最良の形態】
【００１７】
以下、本発明に係る上顎用の入れ歯について図面を参照して詳細に説明する。
【００１８】
図１は、本発明の入れ歯１の斜視図であり、図２は、ｘ−ｘ´における断面図であり、図３は、上顎へ装着したした際のｙ−ｙ´における断面図である。
【００１９】
本発明の入れ歯１は、図１〜図３に示すように、人工歯２と、複数の人工歯２が設けられ、口腔内の歯肉部１１（図３参照）に密着する断面Ｕ字形状に形成された人工歯肉部３と、人工歯肉部３と連接され、人工歯肉部３のＵ字形状に囲まれた中間部に形成され、口腔内の上顎１２と密着する薄肉の上顎密着部４とから構成されている。また、入れ歯１は、人工歯肉部３に、人工歯肉部３の周縁部３ａに立設され、人工歯肉部３と歯肉部１１とを密着させる弾力性を有する人工歯肉立壁部５が設けられている。
【００２０】
入れ歯１は、口腔内の自然歯が抜け落ちた無歯状態の上顎１２（図３参照）に装着されるものであり、具体的には、人工歯肉部３が口腔内の歯肉部１１を覆い密着し、上顎密着部４が上顎１２に面接合し密着し、人工歯肉立壁部５が歯肉部１１と人工歯肉部３との隙間をなくし吸着するように装着される。
【００２１】
人工歯２は、セラミックからなり、自然歯と同様の形状を有している。人工歯２は、例えば装着者の抜歯前の自然歯と同様の並び方で人工歯肉部３に同本数並べられている。なお、人工歯２は、上述に限らず、セラミックと同様の強度、加工性を有するものであればよい。
【００２２】
人工歯肉部３は、上顎と下顎との噛み合わせ時等において歯肉部１１を傷つけたりしない弾力性を有するとともに、噛み合わせ時等の顎の力を人工歯２に伝達できるだけの硬質体であるアクリル樹脂等からなる。人工歯肉部３は、装着される上顎のうち、抜歯前の自然歯が並んでいた下顎側に隆起した歯肉部１１を覆う形状を有している。具体的には、人工歯肉部３は、図１に示すように、その全体形状が抜歯前の自然歯が並んでいた歯肉部１１に沿うような形状を有しており、全体としてＵ字条に形成されている。また、人工歯肉部３は、図２に示すように、盛り上がった歯肉部１１を覆い密着するように盛り上がった歯肉部１１と略同形状の溝部３ｂを有しており、断面が凹状に形成されている。
【００２３】
人工歯肉部３は、装着時に下顎と対向する側で、歯肉部１１に沿って隆起した部分の頂部に、人工歯２が複数本、自然歯と同じ歯並びに埋め込まれている。また、人工歯肉部３は、その厚みは全体的に薄肉に形成されているが、上述のように歯肉部１１に沿って隆起した部分の頂部においては、人工歯２が埋め込まれるので、その安定性確保と減少した歯肉部１１の盛り上がり高さを補填するために、肉厚に形成されている。
【００２４】
なお、人工歯肉部３は、上顎と下顎との噛み合わせ時等において歯肉部１１を傷つけたりしない弾力性を有するとともに、噛み合わせ時等の顎の力を人工歯２に伝達できるだけの硬質体材料からなるものであればよく、アクリル樹脂の他に同様の性状を持つ合成樹脂等から形成されていてもよい。
【００２５】
上顎密着部４は、図１に示すように、人工歯肉部３と連続して形成され、人工歯肉部３の略Ｕ条に形成された部分に囲まれた中間部を閉塞する部材である。つまり、上顎密着部４は、人工歯肉部３の内縁に連続するように形成されている。上顎密着部４は、人工歯肉部３と同様の材料からなり、人工歯肉部３を補強できる程度に薄肉に形成されており、上顎１２と密着するような上顎１２と略同様の面形状を有している。
【００２６】
なお、上顎密着部４は、上述に限らず、樹脂の内部に軽金属等を埋め込み、さらなる強度を得るような構成としてもよい。
【００２７】
人工歯肉立壁部５は、人工歯肉部３の周縁部３ａに立設され、人工歯肉部３よりも弾力性のある合成樹脂から形成されている。具体的に、人工歯肉立壁部５は、凹状の溝部３ｂの外側端部である周縁部３ａ全体に亘って設けられた立壁部材である。人工歯肉立壁部５は、装着時に盛り上がった歯肉部１１の根元部分と密着するように形成され、装着時に人工歯肉部３と歯肉部１１との隙間を完全になくし、それにより人工歯肉部３を歯肉部１１に吸着させる。また、人工歯肉立壁部５は、装着時に人工歯肉部３と歯肉部１１との間に人工歯肉立壁部５が巻き込まれないようにするために、断面凹状部に対して外側にやや開くように立設されている。
【００２８】
以上のような構成を有する上顎用の入れ歯１は、人工歯肉部３の周縁部３ａ全体に亘って人工歯肉立壁部５が設けられており、装着時にこの人工歯肉立壁部５が、図３に示すように、歯肉部１１と人工歯肉部３との隙間をなくし、人工歯肉部３と歯肉部１１とを密着させる。また、この人工歯肉立壁部５は、歯肉部１１と人工歯肉部３との隙間をなくすので、入れ歯１と上顎１２との間に食べ物などの異物の混入することを防ぐことができるとともに、人工歯肉部３が吸盤のような効果を奏し、人工歯肉部３を歯肉部１１に吸着させ、装着安定性を向上させることができる。
【００２９】
次に、本発明の他の実施形態である上顎用の入れ歯２０について図面を参照して説明する。なお、入れ歯２０において、入れ歯１と同様の構成を有する部分には同様の符号を付し、その説明を省略する。
【００３０】
上顎用の入れ歯２０は、入れ歯１の構成に加え、図４に示すように、上顎密着部４の上顎１２と対向する側の面において、上顎密着部４と上顎１２とを吸着させる上顎立壁部２１が設けられている。
【００３１】
上顎立壁部２１は、人工歯肉立壁部５と同様の材料から形成されており、上顎密着部４の上顎１２と対向する側の面に立設されている。上顎立壁部２１は、上顎密着部４上で、人工歯肉部３と上顎密着部４との境界部４ａと、装着時の口蓋垂側の周縁部４ｂとで囲まれる上顎密着部４の周縁部４ｃ全体に亘って設けられる立壁部材である。上顎立壁部２１は、装着時に上顎１２と密着するように形成され、装着時に上顎密着部４と上顎１２との隙間をなくし、それにより上顎密着部４を上顎１２に吸着させる。また、上顎立壁部２１は、装着時に上顎密着部４と上顎１２との間に上顎立壁部２１が巻き込まれないようにするために、上顎密着部４に対して外側にやや開くように立設されている。
【００３２】
以上のような構成を有する上顎用の入れ歯２０は、人工歯肉立壁部５により歯肉部１１と人工歯肉部３との隙間をなくし、人工歯肉部３と歯肉部１１とを密着させ、さらに、上顎立壁部２１が上顎密着部４の周縁部４ｃ全体に亘って設けられており、上顎密着部４と上顎１２との隙間をなくし、上顎密着部４と上顎１２とを密着させる。また、この上顎立壁部２１は、上顎密着部４と上顎１２との隙間をなくすので、入れ歯１と上顎１２との間に食べ物などの異物の混入することを防ぐことができるとともに、上顎密着部４が吸盤のような効果を奏し、上顎密着部４を上顎１２に吸着させ、装着安定性を向上させることができる。
【００３３】
続いて、本発明の他の実施形態である下顎用の入れ歯３０について図面を参照して説明する。なお、入れ歯３０において、入れ歯１と同様の構成を有する部分には同様の符号を付し、その説明を省略する。
【００３４】
図５に示すように、本発明に係る入れ歯３０は、入れ歯１０、２０と異なり、下顎に装着される入れ歯であって、人工歯２と、人工歯肉部３と、人工歯肉部３の周縁部３ａから立設される人工歯肉立壁部３１とから構成され、全体が馬蹄状（Ｕ字条）に形成されている。下顎用の入れ歯３０は、上顎用の入れ歯１０の上顎密着部４がない形状である。なお、図５は、下顎に装着される入れ歯３０を示す図であり、説明上、下顎の歯肉部に装着される面が上になるような図となっている。
【００３５】
人工歯肉立壁部３１は、入れ歯１０の人工歯肉立壁部５と同様の構成を有しており、人工歯肉部３の周縁部３ａに立設され、人工歯肉部３よりも弾力性のある合成樹脂から形成されている。具体的に、人工歯肉立壁部３１は、凹状の溝部３ｂの外側端部である周縁部３ａ全体に亘って設けられた立壁部材である。人工歯肉立壁部３１は、装着時に盛り上がった下顎の歯肉部の根元部分と密着するように形成され、装着時に人工歯肉部３と下顎の歯肉部との隙間を完全になくし、それにより人工歯肉部３を下顎の歯肉部に吸着させる。また、人工歯肉立壁部３１は、装着時に人工歯肉部３と下額の歯肉部との間に人工歯肉立壁部３１が巻き込まれないようにするために、断面凹状部に対して外側にやや開くように立設されている。
【００３６】
以上のような構成を有する下顎用の入れ歯３０は、人工歯肉部３の周縁部３ａ全体に亘って人工歯肉立壁部３１が設けられており、装着時にこの人工歯肉立壁部３１が、下顎の歯肉部と人工歯肉部３との隙間をなくし、人工歯肉部３と下顎の歯肉部とを密着させる。また、この人工歯肉立壁部３１は、下顎の歯肉部と人工歯肉部３との隙間をなくすので、入れ歯３０と下顎との間に食べ物などの異物の混入することを防ぐことができるとともに、人工歯肉部３が吸盤のような効果を奏し、人工歯肉部３を下顎の歯肉部に吸着させ、装着安定性を向上させることができる。
【００３７】
なお、下顎用の入れ歯３０は、上述に限らず、人工歯肉部３の内側周縁部３ｃ（図５参照）においても、人工歯肉立壁部３１を設けるようにしてもよい。
【００３８】
また、本発明は、上顎用又は下顎用の総入れ歯について説明したが、これに限らず、部分入れ歯についても人工歯肉立壁部を設けて歯肉と密着させるようにしてもよい。
【図面の簡単な説明】
【００３９】
【図１】本発明に係る上顎用の入れ歯を示す斜視図である。
【図２】本発明に係る上顎用の入れ歯の図１のｘ−ｘ´における断面図である。
【図３】本発明に係る上顎用の入れ歯の図１のｙ−ｙ´における使用状態を示した断面図である。
【図４】本発明に係る他の上顎用の入れ歯を示す斜視図である。
【図５】本発明に係る下顎用の入れ歯を下方から示す斜視図である。
【図６】（Ａ）は、従来の上顎用の入れ歯を示す斜視図であり、（Ｂ）は、従来の下顎用の入れ歯を示す斜視図である。
【符号の説明】
【００４０】
１、２０  入れ歯、２  人工歯、３  人工歯肉部、３ａ  周縁部、４  上顎密着部、５  人工歯肉立壁部、１１  歯肉部、１２  上顎、２１  上顎立壁部、１００  上顎用入れ歯、１０１  人工歯、１０２  人工歯肉、１０３  上顎装着部、１１０  下顎用入れ歯
【図１】
2006334093.tif 000003
【図２】
2006334093.tif 000004
【図３】
2006334093.tif 000005
【図４】
2006334093.tif 000006
【図５】
2006334093.tif 000007
【図６】
2006334093.tif 000008